(57)【要約】【課題】簡易な構成を有し、標準電波を対象として、定時受信動作と強制受信動作とを積極的に併用採用して、最低限の受信動作の実行にて効率的に標準電波からの時刻情報あるいはカレンダ情報等の情報を的確に受信して高精度の時刻修正が出来る電波修正時計を実現する。【解決手段】標準電波を受信して時刻修正を行う電波修正時計１であって、当該受信手段２、計時手段１８、表示手段４、当該計時手段１８の駆動状態を制御する制御手段１０、外部入力手段７及び制御情報記憶手段８とを有して、且つ第１の受信方式に基づき定時受信動作と第２の受信方式に基づき外部入力手段７の操作による強制受信動作とを単独に若しくは逐次的に実行するに際し、定時受信動作に於ける第１の受信方式と強制受信動作に於ける第２の受信方式は、相互に異なる様に設定されている電波修正時計１。【選択図】図１
2005227203.tif 000002
【特許請求の範囲】
【請求項１】
標準時刻情報信号を含む標準電波を受信して、標準時刻情報信号に基づいて時刻修正を行う様に構成された電波修正時計であって、当該電波修正時計は、少なくとも当該受信手段、時刻情報あるいはカレンダ情報を計時する計時手段、表示手段、当該計時手段の駆動状態を制御する制御手段、外部入力手段及び制御情報記憶手段とを有しており、且つ第１の受信方式に基づき前記計時手段の所定の計時情報値となったときに動作する定時受信動作と第２の受信方式に基づき前記外部入力手段の操作により動作する強制受信動作とを単独に若しくは逐次的に実行するに際し、当該定時受信動作に於ける当該第１の受信方式と当該強制受信動作に於ける当該第２の受信方式は、相互に異なる様に設定されている事を特徴とする電波修正時計。
【請求項２】
当該第１の受信方式と当該第２の受信方式が相互に異なる様に設定されている状態は、当該標準電波の受信成功度合が相互に異なっている様に構成されている事を特徴とする請求項１に記載の電波修正時計。
【請求項３】
当該標準電波の受信成功度合が相互に異なっている状態は、当該標準電波を受信する為の前記受信手段の駆動試行回数を相互に異ならせる様に構成されている事を特徴とする請求１又は２に記載の電波修正時計。
【請求項４】
当該定時受信動作では、複数の異なる定時受信動作モードが設けられている事を特徴とする請求項１乃至３の何れかに記載の電波修正時計。
【請求項５】
当該定時受信動作に於いて、第１の定時受信動作モードで当該標準電波を受信出来ない場合のみ第２の定時受信動作モードで当該定時受信動作が実行される様に構成されている事を特徴とする請求項４に記載の電波修正時計。
【請求項６】
当該第１の定時受信動作モードと当該第２の定時受信動作モードは、当該定時受信動作実行時刻の少なくとも一部が相互に異なっている事を特徴とする請求項４又は５に記載の電波修正時計。
【請求項７】
当該強制受信動作に於いては、複数の相互に異なる強制受信動作モードが設定されている事を特徴とする請求項１乃至６の何れかに記載の電波修正時計。
【請求項８】
当該定時受信動作モードにて、所定期間以内の定時受信動作にて受信成功の履歴が存在する場合には、次の定時受信動作モードでは受信手段を動作させずに受信動作を行わない様にする事を特徴とする電波修正時計。
【請求項９】
当該電波修正時計は、複数種の標準電波の受信が可能である様に構成されている事を特徴とする請求項１乃至８の何れかに記載の電波修正時計。
【請求項１０】
当該複数種の標準電波は、受信局あるいは周波数が異なっていても前記受信手段は受信できる様に構成されている事を特徴とする請求項９に記載の電波修正時計。
【請求項１１】
当該定時受信動作において、第ｎの定時受信動作モードと第（ｎ＋１）の定時受信動作モードとが設けられており且つそれぞれの定時受信動作モードに於ける受信する標準電波が相互に異なっている事を特徴とする請求項９に記載の電波修正時計。
【請求項１２】
当該定時受信動作において、第ｎの定時受信動作モードと第（ｎ＋１）の定時受信動作モードとが設けられており且つ当該第ｎの定時受信動作モードに於いて所定の標準電波が受信出来なかった場合のみ当該第（ｎ＋１）の定時受信動作モードで受信動作を実行する様に構成されている事を特徴とする請求項９に記載の電波修正時計。
【請求項１３】
当該第ｎの定時受信動作モードでは第ｎの受信局からの電波を受信し、当該第（ｎ＋１）の定時受信動作モードでは第（ｎ＋１）の受信局からの電波を受信する様に構成されている事を特徴とする請求項１１に記載の電波修正時計。
【請求項１４】
当該第ｎの定時受信動作モードでは第ｎの周波数を有する電波を受信し、当該第（ｎ＋１）の定時受信動作モードでは第（ｎ＋１）の周波数を有する電波を受信する様に構成されている事を特徴とする請求項１１に記載の電波修正時計。
【請求項１５】
当該強制受信動作に於いては、複数種の受信局の中から何れか一つの受信局が選択される様に構成される事を特徴とする請求項９乃至１４の何れかに記載の電波修正時計。
【請求項１６】
当該複数種の受信局から１つの局を選択する操作に際しては、互いに異なる操作手段の操作、あるいは同一の操作手段における互いに異なる操作により受信局が選択される様に構成される事を特徴とする請求項１５に記載の電波修正時計。
【請求項１７】
当該強制受信動作によって選択された受信局を前記定時受信動作に於いて前記複数の受信局のうちの最初に受信する受信局とする事を特徴とする請求項１５叉は１６に記載の電波修正時計。
【請求項１８】
当該複数種の受信局から複数種の標準電波を受信した所定期間の受信履歴情報に基づき、該受信履歴情報の中で最も受信成功率が高いと判断される受信局をそれ以降の定時受信動作に於いて最初に受信する受信局とするように構成されている事を特徴とする請求項９乃至１７の何れかに記載の電波修正時計。
【請求項１９】
当該複数種の周波数を持つ標準電波を受信した所定期間の受信履歴情報に基づき、該受信履歴情報の中で最も受信成功率が高いと判断される標準電波の周波数をそれ以降の定時受信動作に於いて最初に受信する周波数とするように構成されている事を特徴とする請求項９乃至１７の何れかに記載の電波修正時計。
【請求項２０】
当該定時受信動作において、第１の定時受信動作モードと第２の定時受信動作モードとを常時実行する様に構成されている事を特徴とする請求項１１に記載の電波修正時計。
【請求項２１】
当該定時受信動作において、第１の定時受信動作モード若しくは第２の定時受信動作モードの何れか一方のみを繰り返す様に構成されている事を特徴とする請求項１１に記載の電波修正時計。
【請求項２２】
当該複数種の標準電波の受信が可能な電波修正時計は、強制受信動作は複数種の標準電波の受信を行い、定時受信動作は複数種の標準電波のうちの所定の１つの標準電波を受信する様に構成されている事を特徴とする請求項９に記載の電波修正時計。
【請求項２３】
当該定時受信動作の複数種の標準電波のうちの所定の１つの標準電波は、強制受信動作で複数種の受信を行った標準電波のうち前回受信に成功した標準電波である様に構成されている事を特徴とする請求項２２に記載の電波修正時計。
【請求項２４】
当該定時受信動作は複数種の標準電波のうちの所定の１つの標準電波は、複数種の標準電波を受信した所定期間の受信履歴情報に基づき、該受信履歴情報の中で最も受信成功率が高いと判断される標準電波である様に構成されている事を特徴とする請求項２２に記載の電波修正時計。
【請求項２５】
標準時刻情報信号を含む標準電波を受信して、標準時刻情報信号に基づいて時刻修正を行う様に構成された電波修正時計の時刻修正方法であって、第１の受信方式に基づく定時受信動作を行う第１の受信方式工程と、第２の受信方式に基づく強制受信動作を行う第２の受信方式工程とを有し、第１の受信方式工程と第２の受信方式工程とを単独に若しくは逐次的に実行するに際し、当該第１の受信方式工程と当該第２の受信方式工程は相互に異なる様に設定する事を特徴とする電波修正時計の時刻修正方法。
【請求項２６】
当該電波修正時計の時刻修正方法は、複数種の標準電波を受信する様に構成されている事を特徴とする請求項２５に記載の電波修正時計の時刻修正方法。
【請求項２７】
当該第２の受信方式工程の強制受信動作に於いては、複数種の受信局の中から何れか一つの受信局が選択される様に構成される事を特徴とする請求項２６に記載の電波修正時計。
【発明の詳細な説明】
【技術分野】
【０００１】
本発明は、電波修正時計及びその制御方法に関するものであり、特に詳しくは、電力の消耗を抑えると同時に常時正確な時刻情報を保持することが可能な自動時刻修正機能を有する電波修正時計及びその制御方法に関するものである。
【背景技術】
【０００２】
時刻情報を含んだ電波を受信して時刻を自動的に正確な時刻に修正する様に構成された時計は、既に実用化されており、又電波修正時計に使用される標準時刻情報を含む電波（以下、標準電波と言う）、例えば長波電波は、複数の国、例えば、日本、アメリカ、ドイツ、イギリス、中国などの国で発信されている。
【０００３】
但し、上記時刻情報を含んだ電波の周波数や送信データ形式は異なっている。
【０００４】
一方、上記した様な電波修正時計に於いては、一般的には、利用者が必要に応じて所定の外部入力手段、例えば、スイッチ、ボタン或いはりゅうず等を操作して上記した時刻情報を含む標準電波を強制的に受信する強制受信動作方式と、予め定められたプログラムの設定条件に従って、例えば計時手段の計時情報値が所定の値に達することに基づき、所定の受信時刻に於いて特定の当該標準電波を受信して自動的に時刻修正を行う定時受信動作方式とがあり、それぞれの受信方式が単独に当該電波修正時計に搭載されているのもあり、又上記した双方の受信方式が共に搭載されている電波修正時計もある。
【０００５】
処で、係る電波修正時計に於いては、当該電波修正時計の利用者が所定の地域（或いは国）から他の地域（或いは国）に移動するか、当該電波修正時計の利用者が同一の所定の地域（或いは国）にいるにも係わらず、長期間に亘って当該時刻情報を含む標準電波届かない場所、例えば、ビルの陰或いは地下室にいる様な場合には、上記何れの受信動作方式を利用しても所定の時刻情報を含む標準電波は受信不可能である。その様な場所にいる場合でも上述した双方の受信方式が共に搭載されている場合、あるいは定時受信方式のみが搭載されている場合に定時受信動作方式による定時受信の動作が繰り返し実行される事になる。双方の受信動作方式が共に搭載されている場合に、ユーザーは強制受信動作方式を実行したときには当然強制受信動作による動作も実行される。しかし、定時受信動作は定時になると必ず実行されるので、より着目しなければならない。
【０００６】
然しながら、当該電波修正時計に於ける当該時刻情報を含む標準電波を受信する動作は、相当の電力を消費する動作であるので、当該定時受信動作方式に於いて、受信動作を所定の受信動作モードに従って長期間実行されることになると、受信できないにも係わらず受信動作を繰り返すため無駄な電力消費を発生し、その結果全体の電力消費量が増大し、電池の寿命が短くなる他、電池交換によるコスト高となる問題が有った。また、充電式の電波修正時計に於いては、充電があまりされない使用状況では、受信できないにも係わらず受信動作を繰り返すため無駄な電力消費を発生し、その結果全体の電力消費量が増大することで、受信動作のみならず最終的には時計が止まってしまうという問題が有った。
【０００７】
叉、当該時刻情報を含む電波修正時計の利用者は、今まで受信していた標準電波が利用出来ない地域、或いは別の国に移動した場合、又はビルの陰或いは地下室にいる様な場合には、上記した定時受信動作が使用できず時刻修正が全く出来ない状態に置かれるが、当該電波修正時計が特定の時刻情報を含む標準電波を強制受信動作を利用して受信出来るように構成されている場合には、そのときのみ例えば地下室から出て屋外にて当該利用者が自らの意思により当該標準電波を強制受信動作を実行して定時受信にて受信できない状況でも強制受信により受信を成功させる事も可能である。
【０００８】
然しながら、当該電波修正時計に強制受信動作が搭載されているものであっても、受信出来る時刻情報を含む標準電波は通常一種類に設定されているものであるので、例えば、所定の地域（或いは国）から他の地域（或いは国）に移動した場合に、たまたま強制受信動作にて当該受信可能な標準電波を発信している受信局が当該地域内或いは国内に存在する場合は問題ないとしても、そうでない場合には、同様に時刻修正が不可能であるので、従来の電波修正時計に汎用性が無い。
【０００９】
一方、特開２００３−２７０３７０号公報（特許文献１）には、計時手段と、時刻データを含む周波数が異なる複数の電波を受信可能な電波受信手段と、電波受信手段が受信する電波の周波数を切り替える受信周波数切替手段と、受信周波数切替手段による周波数の切り替えを制御する制御手段と、電波受信手段により受信された電波に含まれる時刻データに基づいて現在時刻データを修正する時刻修正手段とを備える時刻データ受信装置であって、電波受信手段による電波の受信の成功／失敗を判定する成否判定手段と周波数を記憶する記憶手段とを更に備え、前記制御手段は、前記電波受信手段が受信する電波の周波数を、前記記憶手段に記憶された周波数に切り替えるように前記受信周波数切替手段を制御するとともに、前記成否判定手段により失敗と判定された場合には、前記受信周波数切替手段を他の周波数に切り替えるように制御し、前記成否判定手段により成功と判定された場合には、前記電波受信手段が受信している電波の周波数を前記記憶手段に記憶させる様に構成された電波修正時計に関して記載されている。
【００１０】
叉、特開２００２−２９６３７４号公報（特許文献２）には、周波数が異なる複数の時刻情報信号を受信し、当該各時刻情報信号のそれぞれの受信状態を検出し、当該各受信状態に基づき上記各時刻情報信号の中から一の時刻情報信号を時刻情報取得用として指定し、当該指定時刻情報信号から時刻情報を取得することを特徴とする時刻情報取得方法が記載されている。
【００１１】
更に特開２００３−７５５６１号公報（特許文献３）には標準時刻信号を含む周波数の異なる複数の標準電波を受信し、前記標準時刻信号に基づいて時刻修正を行う自動修正時計であって、制御信号に応じて複数の共振周波数を設定可能で、前記設定された共振周波数をもって前記標準電波を受信して復調し、前記標準時刻信号を出力する受信部と、あらかじめ定められた制限時間以内に、前記設定された共振周波数をもって前記受信部が、前記標準電波から前記標準時刻信号を復調可能ではない場合には、前記設定された共振周波数とは異なる共振周波数を設定させる制御信号を前記受信部に出力し、かつ前記標準時刻信号に基づいて時刻修正を行う制御回路とを有する自動修正時計が示されている。
【００１２】
一方、特許第３４５４２６９号公報（特許文献４）には、計時手段と、計時された現時刻を表示する現時刻表示手段と、時刻情報を含んだ電波を受信する受信手段と、前記受信手段を駆動する受信電源手段を定期的に作動させる受信電源制御手段と、前記受信手段で受信した時刻情報に基づいて前記計時手段の現時刻を修正する現時刻修正手段とを備えた電波修正時計において、前記受信電源制御手段は、前回の電波を受信した時からの経過時間を求める経過時間検出手段と、前記受信電源手段を定期的に作動させる際の作動時間間隔を定めるスケジュール情報を設定するスケジュール情報設定手段と、前記スケジュール情報に基づいて前記受信電源手段の作動を制御する電源手段制御手段とを備え、前記スケジュール情報設定手段は、前記経過時間が設定時間以上になると前記スケジュール情報を初期設定値よりも作動時間間隔が長いスケジュール情報に切り替える様に構成された電波修正時計が示されている。
【００１３】
【特許文献１】特開２００３−２７０３７０号
【特許文献２】特開２００２−２９６３７４号公報
【特許文献３】特開２００３−７５５６１号公報
【特許文献４】特許第３４５４２６９号公報
【発明の開示】
【発明が解決しようとする課題】
【００１４】
然しながら、上述の公知例に於いては複数種類の周波数等の標準電波を工夫して切替受信する方式が開示されているものの、限定的な改良技術が開示されているのみであって、効率的に必要な時刻情報を含む特定の標準電波を探し出し、且つ受信成功率を高める様に、複数種の標準電波あるいは単一の標準電波を対象として、定時受信動作と強制受信動作とを併用採用して短時間に効率良く必要な時刻情報を含む標準電波検出し、然も定時受信動作と強制受信動作とを状況に応じて動作方式を適宜工夫して、電力の消耗を抑制できる電波修正時計は得られていない。
【００１５】
従って、本発明の目的は、上記した従来の問題を解決し、簡易な構成を有し、標準電波を対象として、定時受信動作と強制受信動作とを積極的に併用採用して、最低限の受信動作の実行にて効率的に標準電波からの時刻情報あるいはカレンダ情報等の情報を的確に受信して高精度の時刻修正が出来る電波修正時計を実現することである。
【００１６】
更に、本発明に於いては、複数種の標準電波を受信する電波修正時計を対象として、定時受信動作と強制受信動作とを積極的に併用採用して最低限の受信動作の実行にて効率的に標準電波からの時刻情報あるいはカレンダ情報等の情報を的確に受信して高精度の電波修正時計を実現する事を目的とすると共に、ユーザーが第１の標準電波を受信できる所定の地域（或いは国）から第２の標準電波を受信できる他の地域（或いは国）に移動した場合でも短時間で効率良く必要な時刻情報或いはカレンダ情報含む標準電波検出し、然も電力の消耗を抑制でき、然も消費電力を低減できる電波修正時計を提供するものである。
【課題を解決するための手段】
【００１７】
本発明は上記した目的を達成する為、以下に示す様な基本的な技術構成を採用するものである。
【００１８】
即ち、本発明に於ける第１の態様としては、標準時刻情報信号を含む標準電波を受信して、標準時刻情報信号に基づいて時刻修正を行う様に構成された電波修正時計であって、当該電波修正時計は、少なくとも当該受信手段、時刻情報あるいはカレンダ情報を計時する計時手段、表示手段、当該計時手段の駆動状態を制御する制御手段、外部入力手段及び制御情報記憶手段とを有しており、且つ第１の受信方式に基づき前記計時手段の所定の計時情報値となったときに動作する定時受信動作と第２の受信方式に基づき前記外部入力手段の操作により動作する強制受信動作とを単独に若しくは逐次的に実行するに際し、当該定時受信動作に於ける当該第１の受信方式と当該強制受信動作に於ける当該第２の受信方式は、相互に異なる様に設定されている電波修正時計であり、又、本発明にかかる第２の態様としては、上記第１の態様に於いて、複数種の標準電波の受信が可能である様に構成されている電波修正時計である。
【００１９】
又、本発明にかかる第３の態様としては、標準時刻情報信号を含む標準電波を受信して、標準時刻情報信号に基づいて時刻修正を行う様に構成された電波修正時計の時刻修正方法であって、第１の受信方式に基づく定時受信動作を行う第１の受信方式工程と、第２の受信方式に基づく強制受信動作を行う第２の受信方式工程とを有し、第１の受信方式工程と第２の受信方式工程とを単独に若しくは逐次的に実行するに際し、当該第１の受信方式工程と当該第２の受信方式工程は相互に異なる様に設定する電波修正時計の時刻修正方法であり、更に、本発明にかかる第４の態様としては、上記第３の態様に於いて、複数種の標準電波の受信が可能である様に構成されている電波修正時計の時刻修正方法である。
【００２０】
又、本発明にかかる電波修正時計の別の態様としては、当該第１の受信方式と当該第２の受信方式が相互に異なる様に設定されている状態は、当該標準電波の受信成功度合が相互に異なっている様に構成されている事を特徴とする。
【００２１】
又、本発明にかかる電波修正時計の別の態様としては、当該標準電波の受信成功度合が相互に異なっている状態は、当該標準電波を受信する為の前記受信手段の駆動試行回数を相互に異ならせる様に構成されている事を特徴とする。
【００２２】
又、本発明にかかる電波修正時計の別の態様としては、当該定時受信動作では、複数の異なる定時受信動作モードが設けられている事を特徴とする。
【００２３】
又、本発明にかかる電波修正時計の別の態様としては、当該定時受信動作に於いて、第１の定時受信動作モードで当該標準電波を受信出来ない場合のみ第２の定時受信動作モードで当該定時受信動作が実行される様に構成されている事を特徴とする。
【００２４】
又、本発明にかかる電波修正時計の別の態様としては、当該第１の定時受信動作モードと当該第２の定時受信動作モードは、当該定時受信動作実行時刻の少なくとも一部が相互に異なっている事を特徴とする。
【００２５】
又、本発明にかかる電波修正時計の別の態様としては、当該強制受信動作に於いては、複数の相互に異なる強制受信動作モードが設定されている事を特徴とする。
【００２６】
又、本発明にかかる電波修正時計の別の態様としては、当該定時受信動作モードにて、所定期間以内の定時受信動作にて受信成功の履歴が存在する場合には、次の定時受信動作モードでは受信手段を動作させずに受信動作を行わない様にする事を特徴とする。
【００２７】
又、本発明にかかる電波修正時計の別の態様としては、当該複数種の標準電波は、受信局あるいは周波数が異なっていても前記受信手段は受信できる様に構成されている事を特徴とする。
【００２８】
又、本発明にかかる電波修正時計の別の態様としては、当該定時受信動作において、第ｎの定時受信動作モードと第（ｎ＋１）の定時受信動作モードとが設けられており且つそれぞれの定時受信動作モードに於ける受信する標準電波が相互に異なっている事を特徴とする。
【００２９】
又、本発明にかかる電波修正時計の別の態様としては、当該定時受信動作において、第ｎの定時受信動作モードと第（ｎ＋１）の定時受信動作モードとが設けられており且つ当該第ｎの定時受信動作モードに於いて所定の標準電波が受信出来なかった場合のみ当該第（ｎ＋１）の定時受信動作モードで受信動作を実行する様に構成されている事を特徴とする。
【００３０】
又、本発明にかかる電波修正時計の別の態様としては、当該第ｎの定時受信動作モードでは第ｎの受信局からの電波を受信し、当該第（ｎ＋１）の定時受信動作モードでは第（ｎ＋１）の受信局からの電波を受信する様に構成されている事を特徴とする。
【００３１】
又、本発明にかかる電波修正時計の別の態様としては、当該第ｎの定時受信動作モードでは第ｎの周波数を有する電波を受信し、当該第（ｎ＋１）の定時受信動作モードでは第（ｎ＋１）の周波数を有する電波を受信する様に構成されている事を特徴とする。
【００３２】
又、本発明にかかる電波修正時計の別の態様としては、当該強制受信動作に於いては、複数種の受信局の中から何れか一つの受信局が選択される様に構成される事を特徴とする。
【００３３】
又、本発明にかかる電波修正時計の別の態様としては、当該複数種の受信局から１つの局を選択する操作に際しては、互いに異なる操作手段の操作、あるいは同一の操作手段における互いに異なる操作により受信局が選択される様に構成される事を特徴とする。
【００３４】
又、本発明にかかる電波修正時計の別の態様としては、当該強制受信動作によって選択された受信局を前記定時受信動作に於いて前記複数の受信局のうちの最初に受信する受信局とする事を特徴とする。
【００３５】
又、本発明にかかる電波修正時計の別の態様としては、当該複数種の受信局から複数種の標準電波を受信した所定期間の受信履歴情報に基づき、該受信履歴情報の中で最も受信成功率が高いと判断される受信局をそれ以降の定時受信動作に於いて最初に受信する受信局とするように構成されている事を特徴とする。
【００３６】
又、本発明にかかる電波修正時計の別の態様としては、当該複数種の周波数を持つ標準電波を受信した所定期間の受信履歴情報に基づき、該受信履歴情報の中で最も受信成功率が高いと判断される標準電波の周波数をそれ以降の定時受信動作に於いて最初に受信する周波数とするように構成されている事を特徴とする。
【００３７】
又、本発明にかかる電波修正時計の別の態様としては、当該定時受信動作において、第１の定時受信動作モードと第２の定時受信動作モードとを常時実行する様に構成されている事を特徴とする。
【００３８】
又、本発明にかかる電波修正時計の別の態様としては、当該定時受信動作において、第１の定時受信動作モード若しくは第２の定時受信動作モードの何れか一方のみを繰り返す様に構成されている事を特徴とする。
【００３９】
又、本発明にかかる電波修正時計の別の態様としては、当該複数種の標準電波の受信が可能な電波修正時計は、強制受信動作は複数種の標準電波の受信を行い、定時受信動作は複数種の標準電波のうちの所定の１つの標準電波を受信する様に構成されている事を特徴とする。
【００４０】
又、本発明にかかる電波修正時計の別の態様としては、当該定時受信動作の複数種の標準電波のうちの所定の１つの標準電波は、強制受信動作で複数種の受信を行った標準電波のうち前回受信に成功した標準電波である様に構成されている事を特徴とする。
【００４１】
又、本発明にかかる電波修正時計の別の態様としては、当該定時受信動作は複数種の標準電波のうちの所定の１つの標準電波は、複数種の標準電波を受信した所定期間の受信履歴情報に基づき、該受信履歴情報の中で最も受信成功率が高いと判断される標準電波である様に構成されている事を特徴とする。
【００４２】
又、本発明にかかる電波修正時計の時刻修正方法の態様としては当該第２の受信方式工程の強制受信動作に於いては、複数種の受信局の中から何れか一つの受信局が選択される様に構成される事を特徴とする。
【発明の効果】
【００４３】
本発明に係る当該電波修正時計及びその時刻修正方法は、第１の受信方式に基づき前記計時手段の所定の計時情報値となったときに動作する定時受信動作と第２の受信方式に基づき前記外部入力手段等の操作により動作する強制受信動作とを単独に若しくは逐次的に実行するに際し、当該定時受信動作に於ける当該第１の受信方式と当該強制受信動作に於ける当該第２の受信方式は、相互に異なる様に設定されているので、定時受信動作と強制受信動作とを積極的に併用採用して、最低限の受信動作の実行にて効率的に標準電波からの時刻情報あるいはカレンダ情報等の情報を的確に受信して高精度の電波修正時計を実現できた。
【００４４】
また、上記した様な技術構成の他に複数種の標準電波の受信が可能である様な構成を採用した場合には、ユーザーが第１の標準電波を受信できる所定の地域（或いは国）から第２の標準電波を受信できる他の地域（或いは国）に移動したときに、短時間で効率良く必要な時刻情報を含む特定の標準電波を探し出し、定時受信動作と強制受信動作とを併用採用して短時間に効率良く必要な時刻情報を含む標準電波検出し、然も消費電力の消耗を抑制できるという効果を発揮する事が出来る。
【発明を実施するための最良の形態】
【００４５】
以下に、本発明に係る電波修正時計及び電波修正時計の時刻修正方法に関する一具体例の構成を図面を参照しながら詳細に説明する。
【実施例】
【００４６】
即ち、図１は本発明に係る電波修正時計１の一具体例の構成を示すブロックダイアグラムであって、図中、標準時刻情報信号を含む標準電波を受信して、標準時刻情報信号に基づいて時刻修正を行う様に構成された電波修正時計１であって、当該電波修正時計１は、少なくとも当該受信手段２、時刻情報あるいはカレンダ情報を計時する計時手段である計時データ記憶部５、表示手段４、当該計時データ記憶部５の駆動状態を制御するＣＰＵなどにより構成される演算制御手段１０、外部入力手段７及び制御情報記憶手段８とを有しており、且つ第１の受信方式に基づき前記計時データ記憶部５が所定の計時情報値となったときに動作する定時受信動作と第２の受信方式に基づき前記外部入力手段７の操作により動作する強制受信動作とを単独に若しくは逐次的に実行するに際し、当該定時受信動作に於ける当該第１の受信方式と当該強制受信動作に於ける当該第２の受信方式は、相互に異なる様に設定されている電波修正時計１が示されている。
【００４７】
その他、本発明に係る当該電波修正時計１に於いては、図１に示す様に、受信手段駆動手段９、上記した計時データ記憶部５の駆動状態を制御する他、各種の後述する複数の手段を個別に演算制御する演算制御手段１０、受信された時刻情報を含む標準電波から所定の情報を抽出するコード判定手段１１、当該標準電波を受信する為の受信局選択手段１２、一般的にはＲＯＭで構成されている各種の制御プログラムを記憶している制御プログラム記憶手段１６、基準信号発生手段１７、受信局選択手段２２からの受信局を選択制御する信号を入力とする受信局切り替え回路２２と受信回路２１とより成る受信手段２、および当該表示手段４を駆動して時刻修正結果を表示させる表示駆動手段４０等が適宜設けられているものである。
【００４８】
更には、当該受信手段２からの出力を入力して受信状況の判断結果を当該演算制御手段１０に出力する受信状況判定手段２３、受信履歴記憶手段２４等が設けられていても良い。
【００４９】
なお、図１の本実施例に於いては、カウンタ手段１８は、基準信号発生手段１７から発生される所定の周波数を有する基準信号を適宜の分周手段等を介して所定の周波数、例えば本具体例では１Ｈｚの演算制御手段１０をホールトリリースする為のホールトリリース信号を作成し、演算制御手段１０に対して前記ホールトリリース信号を出力する。当該演算制御手段１０を受けるとそのときの処理として、ＣＰＵはホールト状態が解除され、ＲＯＭで構成されている制御プログラム記憶手段１６に記憶されている所定の制御プログラムにより、制御情報記憶手段８の中の時刻カレンダデータを計数する計時データ記憶部５のデータを１秒毎に秒データをインクリメントし、必要に応じて分データ、時データ、日データ等のカレンダデータもキャリー処理によって時刻（カレンダ）のデータを計数する様に構成されている。１秒毎に変更された後の計時データ記憶部５の所定の時刻情報あるいは更にカレンダ情報を表示手段４に表示する。
【００５０】
又、本発明に於ける具体例に於いては、基本的には、ＲＯＭで構成されている制御プログラム記憶手段１６に記憶されている各種の制御プログラムを利用して当該演算制御手段１０が各種の制御情報を記憶している当該制御情報記憶手段８のデータを使用して所定の演算処理を行い、上記した各種の装置或いは手段を駆動制御する様に構成されている例を示したが、本発明は係る具体例の構成に限定されるものではなく、ＣＰＵを使わないランダムロジックの構成にて同一の機能を実現できる。
【００５１】
本実施例においては、受信した標準電波に基づいて時刻を修正する場合の一具体例としては、上記した様に制御プログラム記憶手段１６のプログラムにて演算制御手段１０の制御に基づき、制御情報記憶手段８の所定のデータを操作処理することによって時刻修正を行うソフト処理を採用するものであるが、例えば、本発明に於ける計時手段である計時データ記憶部５を、ＲＡＭではなく例えばフリップフロップとゲートを組み合わせたカウンタ手段にて計時手段が構成されていても良い。
【００５２】
次に受信動作に関して説明する。受信され取り込まれた受信信号は、受信され取り込まれた受信信号の信頼性があるか否かを判定し、「信頼性あり」と判定された場合に受信信号のデータを受信データ記憶部６に記憶させる。
【００５３】
なお、別の処理方法として、先ず受信データ記憶部６に記憶した後、当該受信データ記憶部６に記憶された受信データが信頼性があるか否かを判定処理を行い、後述する受診状況判定手段２３にて受信信号の「信頼性なし」の判定がなされていた場合には当該受信データ記憶部６の当該データを決して計時データ記憶部５へ置き換える処理を行なわず、「信頼性あり」の判定がされる場合のみ前記計時データ記憶部５のデータを当該受信データ記憶部６の当該データに置き換えて、時刻（カレンダ）修正を行う様に構成されているもので有っても良く、その場合には後述する、「受信データを２セット取り込み、２つの時刻カレンダデータが１分差であるかを判定する」制御を省略しても良い。
【００５４】
また、図１の受診状況判定手段２３は、上述の受信信号の「信頼性あり」の判定を行う手段であり、長波の標準電波に含まれる矩形パルス（「０」、「１」、「Ｐ」のコードが矩形パルスの幅にて定義付けられている矩形パルス）は受信手段２からの信号を入力とする。
【００５５】
そして、受診状況判定手段２３にて更に前記受信手段２からの信号の立ち上がりエッジを検出し、その検出間隔がカウントされ、そのカウント値にて受信信号の「信頼性あり」あるいは「信頼性なし」の判定がなされる。具体的には、このカウント値は本来１秒間隔であるはずのものであるが、受信環境（ノイズの強弱や有無等）によってこの１秒周期が不安定、即ち、受信信号の「信頼性なし」の場合に本来１秒周期であるはずのものが乱れる。
【００５６】
前記カウント値と所定の比較値（例えば、１秒±３２ｍｓ）との比較を例えば１０秒間判定し、受信信号の「信頼性」を判定することで即ち、受診状況判定を行う。受診状況判定を行う方法は、他にも有りここに開示したものに限られない。例えば、受診状況判定手段２３に於ける当該時刻情報を含む標準電波の受信信号の「信頼性」の判断を、電界強度を検出して行っても良い。
【００５７】
そして、この操作にて受信信号が「信頼性有り」と判断出来た場合には、演算制御手段１０に於いて制御プログラム記憶手段１６に記憶されている所定のアルゴリズムに基づいて、当該取り込まれた受信データを受信データ記憶部６に格納する処理を行う。
【００５８】
次に、該受信データが受信データ記憶部６に格納された後の処理について説明する。
【００５９】
尚、本発明に於ける当該計時データ記憶部５は、受信した標準電波により修正された計時データを記憶する記憶手段である。
【００６０】
長波の標準電波に含まれる矩形パルス（「０」、「１」、「Ｐ」のコードが矩形パルスの幅にて定義付けられている矩形パルス）１分間で１セットであり、１セットの受信データにて、時刻カレンダデータ等のデータを構成している。そこで、上述の受診状況判定手段２３における受診状況判定である受信信号の信頼性とは別の観点で、受信信号の「信頼性有り」の判定後に更に、受信データの信頼性を確認すること目的に、「受信データを２セット取り込み、２つの時刻カレンダデータが１分差であるかを判定する」ことを、本具体例では制御プログラム記憶手段１６に記憶されている所定のアルゴリズムに基づいて演算制御手段１０にて行っている。（後述する図２参照のこと）なお、この場合は前記受信データ記憶部６は受信データを２セット分を格納することのできる容量のメモリである。ここで受信データの信頼性を確認する考え方について説明するならば、稀ではあるが、長波の標準電波を送出する送信所からの電波信号が誤送出を行っている様な場合にこの受信データの信頼性を判定することは有効である。そして、判定後に、「信頼性有り」と判定された場合には、演算制御手段１０に於いて制御プログラム記憶手段１６に記憶されている所定のアルゴリズムに基づいて、計時データ記憶部５のデータを当該受信データ記憶部６の当該データに置き換える処理を行い当該時刻カレンダデータを使用して時刻（カレンダ）修正を行う様に構成されている。逆に、受信データの「信頼性無し」と判定された場合には、表示手段４に「受信データに矛盾有り」の表示を行う所定のアルゴリズムを制御プログラム記憶手段１６に記憶されることで、今までにない受信に際してのユーザーへの警告情報を提供できる。
【００６１】
前述の如く、本発明に於ける当該計時データ記憶部５は、受信した標準電波により修正された計時データを記憶する記憶手段であるのに対して、標準電波の受信に際して、受信履歴記憶手段２４は、受信された全ての標準電波に関するデータ、例えば、受信局、受信周波数、受信時刻、受信状態（電界強度）、受信成功か否か等の情報を記憶する記憶手段である。
【００６２】
又、本発明に於いては、図１の具体例に於いて、上記した当該演算制御手段１０に接続されている例えばＲＡＭで構成されている当該制御情報記憶手段８には、前述の構成のもの以外に、定時受信動作モード識別記憶部２６及び定時受信動作モード時に於ける定時受信局記憶部２７が含まれている定時受信フラグ領域３０と、強制受信動作モード識別記憶部３２及び強制受信動作モード時に於ける強制受信局記憶部３３が含まれている強制受信フラグ領域３１とが含まれているものであっても良い。また、当該制御情報記憶手段８には、前述の計時データ記憶部５と受信データ記憶部６が含まれることは説明した通りである。
【００６３】
即ち、本発明に於いては、従来の電波修正時計に於ける時刻情報を含む標準電波の受信方法とは異なり、受信履歴あるいは状況に応じて定時受信動作と強制受信動作とを任意に選択して時刻修正動作が行える様に設計されているものであり、基本的には、主（メイン）の受信動作である自動的に実行される定時受信動作と、当該定時受信動作で、所定の時刻情報を含む標準電波が受信できない場合には従（サブ）の受信動作である外部入力手段７等の操作による手動の強制受信動作を実行する様に当該電波修正時計をユーザーが使用することが使い勝手のものある。
【００６４】
勿論、本発明に於いては手動の強制受信動作を主（メイン）の受信動作として当該電波修正時計の使用方法も考えられることは言うまでもない。
【００６５】
そして本発明に於ける当該電波修正時計１に於いては、当該定時受信動作を実行する場合の第１の受信方式と当該強制受信動作を実行する場合の第２の受信方式を相互に異なる様に設定されている事が必要であり、当該定時受信動作を実行する場合の第１の受信方式と当該強制受信動作を実行する場合の第２の受信方式を相互に異なる様に設定する具体的な方法としては、例えば、当該標準電波の受信成功度合が相互に異なっている様に設定する事が考えられる。
【００６６】
具体的には、当該標準電波の受信成功度合が相互に異なっている状態とは、例えば、当該標準電波を受信する為の前記受信手段２の駆動試行回数を相互に異ならせる様に構成するものであって、より具体的には、例えば、当該定時受信動作を実行する場合の第１の受信方式に於いては当該駆動試行回数を３回とし、当該強制受信動作を実行する場合の第２の受信方式に於いては当該駆動試行回数を１回に設定する構成が採用できる。逆に、定時受信動作を実行する場合の第１の受信方式に於いては当該駆動試行回数を１回とし、当該強制受信動作を実行する場合の第２の受信方式に於いては当該駆動試行回数を３回に設定する構成も考えられる。
【００６７】
叉、本発明にかかる具体例に於いては、時刻情報を含む標準電波を受信して時刻修正を行う場合には、当該制御プログラム記憶手段１６に記憶されている所定の処理操作プログラムに従って、例えば、定時受信動作フラグ領域３０が選択されると所定のソフトウェアにより当該定時受信動作モードが選択され、当該演算制御手段１０から定時受信方式設定信号が出力されると共に、当該制御プログラム記憶手段１６に記憶されている一つ或いは複数の時刻情報を含む標準電波を発信している受信局の情報の中から所定の受信局を選択し当該情報を当該受信局選択手段１２を介してその信号を出力し、或いは必要によって当該定時受信フラグ領域３０に含まれている当該定時受信動作モード識別記憶部２６内に記憶されている当該定時受信動作に於いて使用される複数種の定時受信動作モード（第１定時受信動作モード、第２定時受信動作モード、第３定時受信動作モード・・・・・）の中から所望の受信動作モードを選択し、当該制御プログラム記憶手段１６に記憶されている所定の処理操作プログラムに従って受信動作モードを選択し前記受信手段２を動作させる。
【００６８】
当該各指示情報は、当該受信手段２に伝達されて、設定された定時受信動作を開始する。
【００６９】
本発明に於ける上記各種の所定の情報の選択は、全て所定のプログラムに従って実行されるものである。
【００７０】
又、本具体例に於いては、上記した各手段の操作は当該制御プログラム記憶手段１６のソフトウェアを使用せずにランダムロジックにて処理する形で実行することも可能である。
【００７１】
叉、本発明にかかる具体例に於いては、時刻情報を含む標準電波を受信して時刻修正を行う場合には、当該制御プログラム記憶手段１６に記憶されている所定の処理操作プログラムに従って、例えば、強制受信動作フラグ領域３１が選択されると所定のソフトウェアにより当該強制受信動作モードが選択され、当該演算制御手段１０から強制受信方式設定信号が出力されると共に、当該制御プログラム記憶手段１６に記憶されている一つ或いは複数の時刻情報を含む標準電波を発信している受信局の情報の中から所定の受信局を選択し当該情報を当該受信局選択手段１２を介してその信号を出力し、或いは必要によって当該強制受信動作フラグ領域３１に含まれている当該強制受信動作モード識別記憶部２７内に記憶されている当該強制受信動作に於いて使用される複数種の強制受信動作モード（第１強制受信動作モード、第２強制受信動作モード、第３強制受信動作モード・・・・・）の中から所望の受信動作モードを選択し、当該制御プログラム記憶手段１６に記憶されている所定の処理操作プログラムに従って受信動作モードを選択し前記受信手段２を動作させる。
【００７２】
当該各指示情報は、当該受信手段２に伝達されて、設定された強制受信動作を開始する。
【００７３】
本発明に於ける上記各種の所定の情報の選択は、全て所定のプログラムに従って実行されるものである。
【００７４】
又、本具体例に於いては、上記した各手段の操作は当該制御プログラム記憶手段１６のソフトウェアを使用せずにランダムロジックにて処理する形で実行することも可能である。
【００７５】
そして、当該受信手段２は、指定された周波数の時刻情報を含む標準電波を発信する局から当該標準電波を受信し、例えば、受診状況判定手段２３に於ける受信信号の「信頼性あり」と、制御プログラム記憶手段１６に記憶されている所定のアルゴリズムに基づいて演算制御手段１０に於ける「受信データを２セット取り込み、２つの時刻カレンダデータが１分差であるかを判定する」ことによる受信データの「信頼性あり」との両方が確認されると、「当該受信が正常と判断された」こととなり、その場合に前記計時データ記憶部５のデータを当該受信データ記憶部６の当該データに置き換えて時刻（カレンダ）修正を行い現在の正確な時刻（カレンダ）情報を前記表示手段４に表示すると共に、表示手段４に「受信成功」の表示も行う。
【００７６】
そして、同時に、上記受信動作の経過を受信局ごとに設けられている受信履歴記憶部２４に記憶させる。
【００７７】
本発明に於いて、当該時刻情報を含む標準電波が正常に受信できたか否かの判断は、電界強度を検出して判断しても良い。
【００７８】
ここで、上記した本発明にかかる具体例の操作手順の一例を図２を参照して説明する。
【００７９】
即ち、この具体例に於いては、定時受信動作の一度の受信動作に際しては受信回路２１の動作の実施を１回行い、強制受信動作の一度の受信動作に際しては受信回路２１の動作の実施を２回繰り返す場合の例を示すものであり、定時受信動作の第１の受信方式と強制受信動作の第２の受信方式が相互に異なる様に設定されている状態は、当該標準電波の受信成功度合が相互に異なっている様に、標準電波を受信する為の前記受信手段の駆動試行回数を相互に異ならせるものである。スタート後、ステップ（Ｓ１）で定時受信動作であるか否かが判断され、ＹＥＳである場合ステップ（Ｓ２）に進み、定時受信動作を実行する。そして、ステップ（Ｓ３）に於いて、前記受診状況判定手段２３に於ける受信信号に信頼が有るか否かを判定し、「信頼性有り」の場合、即ちＹＥＳである場合には、ステップ（Ｓ４）に進み、前記２セットの受信データを受信データ記憶部６に格納する。そして、ステップ（Ｓ５）に進み、受信データの信頼性を確認すること目的に、「受信データを２セット取り込み、２つの時刻カレンダデータが１分差であるかを判定」をステップ（Ｓ５）で行い、「信頼性有り」の場合、即ちＹＥＳである場合にはステップ（Ｓ６）に進んで、前記計時データ記憶部５のデータを当該受信データ記憶部６の当該データに置き換えて時刻（カレンダ）修正を行い現在の正確な時刻（カレンダ）情報を前記表示手段４に表示する。
【００８０】
そして、更にステップ（Ｓ７）に進み、表示手段４に「受信成功」の表示を行う。逆に、ステップ（Ｓ５）にて、「信頼性なし」の場合、即ちＮＯである場合にはステップ（Ｓ８）に進み、表示手段４に受信データに「矛盾有り」の表示を行う。
【００８１】
ステップ（Ｓ５）にて何れの場合でも、ステップ（Ｓ８８）に進み、受信履歴記憶部２４へ受信履歴の記憶を行い、エンドとなる。
【００８２】
一方、ステップ（Ｓ３）で前記受診状況判定手段２３に於ける受信信号に信頼が有るか否かを判定し、「信頼性なし」の場合、即ちＮＯである場合には、ステップ（Ｓ９）に進み、当該表示手段４に受信動作が「不成功」で有った事を表示してエンドとなる。
【００８３】
又、ステップ（Ｓ１）でその判断がＮＯである場合には、ステップ（Ｓ１０）に進み、強制受信動作であるか否かが判断され、ＹＥＳである場合には、ステップ（Ｓ１１）に進んで第１回目の当該強制受信動作を実行し、ステップ（Ｓ１２）に於いて当該強制受信動作を行った結果、前記受診状況判定手段２３に於ける受信信号に信頼が有るか否かを判定し、「信頼性有り」の場合、即ちＹＥＳである場合には、ステップ（Ｓ４）に進み、ステップ（Ｓ４）以降は先ほど説明した通りである。逆に、ステップ（Ｓ１２）に於いてＮＯである場合には、ステップ（Ｓ１３）に進み、第２回目の当該強制受信動作を実行し、ステップ（Ｓ１４）に於いて、前記受診状況判定手段２３に於ける受信信号に信頼が有るか否かを判定し、「信頼性有り」の場合、即ちＹＥＳである場合には、ステップ（Ｓ４）に進み、ステップ（Ｓ４）以降は先ほど説明した通りである。逆に、ステップ（Ｓ１４）に於いて、ＮＯである場合には、ステップ（Ｓ９）に進み、当該表示手段４に受信動作が「不成功」で有った事を表示してエンドとなる。
【００８４】
一方、ステップ（Ｓ１０）に於いてＮＯである場合にはそのままエンドとなる。
【００８５】
以上説明した如く、当該定時受信動作に於ける当該第１の受信方式と当該強制受信動作に於ける当該第２の受信方式は、相互に異なる様に設定されているので、定時受信動作と強制受信動作とを積極的に併用採用して短時間に効率良く必要な時刻情報を含む標準電波検出し、然も電力の消耗を抑制でき、最低限の受信動作の実行にて効率的に標準電波からの時刻情報あるいはカレンダ情報等の情報を的確に受信して高精度の電波修正時計を実現できた。
【００８６】
又、図３は、上記した本発明にかかる具体例に於いて、定時受信動作は受信回路２１の動作の実施をｎ回繰り返し動作させ、強制受信動作は受信回路２１の動作の実施をｍ回（ｎ＞ｍ）繰り返し動作させる様に構成した場合の操作手順の一例を示すものである。
【００８７】
即ち、スタート後、ステップ（Ｓ２１）で定時受信動作であるか否かが判断され、ＹＥＳである場合ステップ（Ｓ２１１）に進みメモリｘに「１」を格納し、更にステップ（Ｓ２２）に進み、定時受信動作を実行する。
【００８８】
そして、ステップ（Ｓ２３）に於いて、前記受診状況判定手段２３に於ける受信信号に信頼が有るか否かを判定し、「信頼性有り」の場合、即ちＹＥＳである場合には、ステップ（Ｓ２４）に進み、前記２セットの受信データを受信データ記憶部６に格納する。そして、ステップ（Ｓ２５）に進み、受信データの信頼性を確認すること目的に、「受信データを２セット取り込み、２つの時刻カレンダデータが１分差であるかを判定」をステップ（Ｓ２５）で行い、「信頼性有り」の場合、即ちＹＥＳである場合にはステップ（Ｓ２６）に進んで、前記計時データ記憶部５のデータを当該受信データ記憶部６の当該データに置き換えて時刻（カレンダ）修正を行い現在の正確な時刻（カレンダ）情報を前記表示手段４に表示する。そして、更にステップ（Ｓ２７）に進み、表示手段４に「受信成功」の表示を行う。逆に、ステップ（Ｓ２５）にて、「信頼性なし」の場合、即ちＮＯである場合にはステップ（Ｓ２８）に進み、表示手段４に受信データに「矛盾有り」の表示を行う。
【００８９】
ステップ（Ｓ２５）にて何れの場合でも、ステップ（Ｓ２８８）に進み、受信履歴記憶部２４へ受信履歴の記憶を行い、エンドとなる。
【００９０】
一方、ステップ（Ｓ２３）で前記受診状況判定手段２３に於ける受信信号に信頼が有るか否かを判定し、「信頼性なし」の場合、即ちＮＯである場合には、ステップ（Ｓ２９）に進み、当該表示手段４にその回の定時受信動作において「不成功」で有った事を表示する。
【００９１】
そして、ステップ（Ｓ３０）に進み、当該定時受信動作の繰り返し回数を管理するメモリｘの内容が、ｎ回を越えたか否かが判断され、ＮＯである場合には、ステップ（Ｓ３１）に進み、次の定時受信動作を実行するため、定時受信動作回数ｘを１だけインクリメント（ｘ＝ｘ＋１）させた後、ステップ（Ｓ２２）に戻り次の定時受信動作を実行し、それ以降の各工程が繰り返される。
【００９２】
当該ステップ（Ｓ３０）に於いてＹＥＳである場合には、そのままエンドとなる。
【００９３】
逆にスタート後、ステップ（Ｓ２１）で定時受信動作であるか否かが判断され、ＮＯである場合ステップ（Ｓ３２）に進み、ステップ（Ｓ３２）に進み、強制受信動作であるか否かが判断され、ＹＥＳである場合にはステップ（Ｓ２２２）に進みメモリｙに「１」を格納し、更にステップ（Ｓ３３）に進み、強制受信動作を実行する。
【００９４】
そして、ステップ（Ｓ３４）に進み、ステップ（Ｓ３４）で前記受診状況判定手段２３に於ける受信信号に信頼が有るか否かを判定し、「信頼性なし」の場合、即ちＮＯである場合には、ステップ（Ｓ３５）に進み、当該表示手段４にその回の強制受信動作において「不成功」で有った事を表示する。
【００９５】
そして、ステップ（Ｓ３６）に進み、当該強制受信動作の繰り返し回数を管理するメモリｙの内容が、ｍ回を越えたか否かが判断され、ＮＯである場合には、ステップ（Ｓ３７）に進み、次の強制受信動作を実行するため、強制受信動作回数ｙを１だけインクリメント（ｙ＝ｙ＋１）させた後、ステップ（Ｓ３３）に戻り次の強制受信動作を実行し、それ以降の前記強制受信の各工程が繰り返される。
【００９６】
一方、ステップ（Ｓ３４）に於いて、前記受診状況判定手段２３に於ける受信信号に信頼が有るか否かを判定し、「信頼性有り」の場合、即ちＹＥＳである場合には、ステップ（Ｓ２４）に進み、ステップ（Ｓ２４）以降は先ほど説明した通りである。
【００９７】
また、当該ステップ（Ｓ３６）に於いてＹＥＳである場合には、そのままエンドとなる。
【００９８】
以上説明した如く、当該定時受信動作に於ける当該第１の受信方式と当該強制受信動作に於ける当該第２の受信方式は、相互に異なる様に設定されているので、定時受信動作と強制受信動作とを積極的に併用採用して短時間に効率良く必要な時刻情報を含む標準電波検出し、然も電力の消耗を抑制でき、最低限の受信動作の実行にて効率的に標準電波からの時刻情報あるいはカレンダ情報等の情報を的確に受信して高精度の電波修正時計を実現できた。
【００９９】
次に、上記した本発明にかかる具体例の操作手順の一例を図４を参照して説明する。
【０１００】
即ち、この具体例に於いては、定時受信動作は、３日以内に定時受信にて「受信成功」の履歴が受信履歴記憶部２４にて確認された場合には、当該電波修正時計は精度的には問題ないので、消費電力を鑑みて受信回路２１の動作させず定時受信を行わないものである。
【０１０１】
更に、３日以内に定時受信にて「受信成功」の履歴が無い（＝「受信不成功」）の場合には、過去の一番最近の前回の定時受信にて「受信成功」した受信局と異なる受信局（例えば、過去の一番最近の前回「受信成功」が福島局の４０ＫＨｚであった場合には、福島局の４０ＫＨｚと異なる６０ＫＨｚの九州局）にて、まず、受信を行う。そして、更に、前記異なる受信局にて「受信不成功」であった場合には、次に、過去の一番最近の前回の定時受信にて「受信成功」した受信局（例えば、福島局の４０ＫＨｚ）にて、受信を行う。
【０１０２】
以下、この具体例について、詳述する。
スタート後、ステップ（Ｓ４１）で定時受信動作であるか否かが判断され、ＹＥＳである場合には、ステップ（Ｓ４１１）に進み、３日以内に定時受信にて「受信成功」の履歴があったか否かが判断され、ＮＯである場合には、ステップ（Ｓ４２）に進み、「受信成功」した受信局と異なる受信局にて受信回路２１を１回動作させる。
【０１０３】
そして、ステップ（Ｓ４３）に於いて、前記受診状況判定手段２３に於ける受信信号に信頼が有るか否かを判定し、「信頼性有り」の場合、即ちＹＥＳである場合には、ステップ（Ｓ４４）に進み、前記２セットの受信データを受信データ記憶部６に格納する。そして、ステップ（Ｓ４５）に進み、受信データの信頼性を確認すること目的に、「受信データを２セット取り込み、２つの時刻カレンダデータが１分差であるかを判定」をステップ（Ｓ４５）で行い、「信頼性有り」の場合、即ちＹＥＳである場合にはステップ（Ｓ４６）に進んで、前記計時データ記憶部５のデータを当該受信データ記憶部６の当該データに置き換えて時刻（カレンダ）修正を行い現在の正確な時刻（カレンダ）情報を前記表示手段４に表示する。そして、更にステップ（Ｓ４７）に進み、表示手段４に「受信成功」の表示を行う。逆に、ステップ（Ｓ４５）にて、「信頼性なし」の場合、即ちＮＯである場合にはステップ（Ｓ４８）に進み、表示手段４に受信データに「矛盾有り」の表示を行う。
【０１０４】
ステップ（Ｓ４５）にて何れの場合でも、ステップ（Ｓ４８８）に進み、受信履歴記憶部２４へ受信履歴の記憶を行い、エンドとなる。
【０１０５】
一方、逆に、ステップ（Ｓ４３）で前記受診状況判定手段２３に於ける受信信号に信頼が有るか否かを判定し、「信頼性なし」の場合、即ちＮＯである場合には、ステップ（Ｓ５１）に進み、前回の定時受信にて「受信成功」した受信局にて受信回路２１を１回動作させる。
【０１０６】
そして、ステップ（Ｓ５２）に進み、ステップ（Ｓ５２）に於いて、前記受診状況判定手段２３に於ける受信信号に信頼が有るか否かを判定し、「信頼性有り」の場合、即ちＹＥＳである場合には、ステップ（Ｓ４４）に進み、ステップ（Ｓ４４）以降は先程説明した通りであるので説明を省略する。
【０１０７】
逆に、ステップ（Ｓ５２）で前記受診状況判定手段２３に於ける受信信号に信頼が有るか否かを判定し、「信頼性なし」の場合、即ちＮＯである場合には、ステップ（Ｓ４９）に進み、ステップ（Ｓ４９）に於いて、当該表示手段４に受信動作が「不成功」で有った事を表示してエンドとなる。
【０１０８】
又、ステップ（Ｓ４１）でその判断がＮＯである場合には、ステップ（Ｓ５０）に進み、強制受信動作であるか否かが判断され、ＹＥＳである場合には、ステップ（Ｓ５１）に進み、ステップ（Ｓ５１）以降は先程説明した通りであるので説明を省略する。逆に、ステップ（Ｓ５０）での判断がＮＯである場合には、エンドとなる。
【０１０９】
また、別の具体例（図示せず）として、定時受信動作は、３日以内に定時受信にて「受信成功」の履歴が受信履歴記憶部２４にて確認された場合には、当該電波修正時計は受信できる環境にあると判断して、過去の一番最近の前回の定時受信にて「受信成功」した受信局（例えば、福島局の４０ＫＨｚ）にて、まず、受信を行う。そして、更に、前記前回の定時受信にて「受信成功」した受信局にて「受信不成功」であった場合には、次に、過去の一番最近の前回の定時受信にて「受信成功」した受信局と異なる受信局（例えば、過去の一番最近の前回「受信成功」が福島局の４０ＫＨｚであった場合には、福島局の４０ＫＨｚと異なる６０ＫＨｚの九州局）にて、受信を行う。このことで、受信できる環境にあると判断した場合には、より精度を追求する。逆に、３日以内に定時受信にて「受信成功」の履歴が受信履歴記憶部２４にて確認されないた場合（３日以内に定時受信にて「受信成功」の履歴が無い（＝「受信不成功」）の場合）には、受信手段２を動作させても「受信成功」の確率が低いので無駄な消費電力の消費を節約する目的で受信回路２１は動作させず定時受信を行わないものも１具体例として考えられる。また、更に、この１具体例の変形として、３日以内に定時受信にて「受信成功」の履歴が受信履歴記憶部２４にて確認された場合には、過去の一番最近の前回の定時受信にて「受信成功」した受信局（例えば、福島局の４０ＫＨｚ）のみ受信を行い、前記前回の定時受信にて「受信成功」した受信局にて「受信不成功」であった場合であっても、過去の一番最近の前回の定時受信にて「受信成功」した受信局と異なる受信局（例えば、過去の一番最近の前回「受信成功」が福島局の４０ＫＨｚであった場合には、福島局の４０ＫＨｚと異なる６０ＫＨｚの九州局）での、受信は行わない方式も考えられる。
【０１１０】
以上説明した如く、当該定時受信動作に於ける当該第１の受信方式と当該強制受信動作に於ける当該第２の受信方式は、相互に異なる様に設定されているので、定時受信動作と強制受信動作とを積極的に併用採用して短時間に効率良く必要な時刻情報を含む標準電波検出し、然も電力の消耗を抑制でき、最低限の受信動作の実行にて効率的に標準電波からの時刻情報あるいはカレンダ情報等の情報を的確に受信して高精度の電波修正時計を実現できた。
【０１１１】
次に、上記した本発明にかかる具体例の操作手順の一例を図５を参照して説明する。
【０１１２】
即ち、この具体例に於いては、強制受信動作における受信成功の受信局を受信履歴記憶部２４の受信履歴情報として格納し、そのうち受信成功率の高い受信局にて定時受信動作の受信を行うものである。
【０１１３】
スタート後、ステップ（Ｓ６０）で定時受信動作であるか否かが判断され、ＹＥＳである場合ステップ（Ｓ６１）に進み、受信履歴記憶部２４の受信履歴情報に基づき受信成功率の最も高い受信局を選定し、その選定結果に基づきステップ（Ｓ６２）あるいはステップ（Ｓ６３）に進み、第１受信局あるいは第２受信局の定時受信動作を実行する。そして、ステップ（Ｓ６４）に於いて、前記受診状況判定手段２３に於ける受信信号に信頼が有るか否かを判定し、「信頼性有り」の場合、即ちＹＥＳである場合には、ステップ（Ｓ６４４）に進み、前記２セットの受信データを受信データ記憶部６に格納する。そして、ステップ（Ｓ６５）に進み、受信データの信頼性を確認すること目的に、「受信データを２セット取り込み、２つの時刻カレンダデータが１分差であるかを判定」をステップ（Ｓ６５）で行い、「信頼性有り」の場合、即ちＹＥＳである場合にはステップ（Ｓ６６）に進んで、前記計時データ記憶部５のデータを当該受信データ記憶部６の当該データに置き換えて時刻（カレンダ）修正を行い現在の正確な時刻（カレンダ）情報を前記表示手段４に表示する。そして、更にステップ（Ｓ６７）に進み、表示手段４に「受信成功」の表示を行う。
【０１１４】
逆に、ステップ（Ｓ６５）にて、「信頼性なし」の場合、即ちＮＯである場合にはステップ（Ｓ６８）に進み、表示手段４に受信データに「矛盾有り」の表示を行う。
【０１１５】
ステップ（Ｓ６５）にてＹＥＳ、ＮＯの何れの場合でも、最終的にはステップ（Ｓ６８８）に進み、受信履歴記憶部２４へ受信履歴の記憶を行い、エンドとなる。
【０１１６】
一方、ステップ（Ｓ６４）で前記受診状況判定手段２３に於ける受信信号に信頼が有るか否かを判定し、「信頼性なし」の場合、即ちＮＯである場合にはステップ（Ｓ６９）に進み、当該表示手段４に受信動作が「受信不成功」で有った事を表示してエンドとなる。
【０１１７】
又、ステップ（Ｓ６０）でその判断がＮＯである場合には、ステップ（Ｓ７０）に進み、強制受信動作であるか否かが判断され、ＹＥＳである場合には、ステップ（Ｓ７１）に進んで第１受信局（例えば４０ＫＨｚの福島局）の強制受信動作を実行し、ステップ（Ｓ７２）に於いて当該強制受信動作を行った結果、前記受診状況判定手段２３に於ける受信信号に信頼が有るか否かを判定し、「信頼性有り」の場合、即ちＹＥＳである場合にはステップ（Ｓ７３）に進み、受信履歴記憶部２４に受信成功局が第１受信局（例えば４０ＫＨｚの福島局）であったことを格納する。そして、その後、ステップ（Ｓ６４４）に進み、ステップ（Ｓ６４４）以降は先ほど説明した通りであるので説明を省略する。逆に、ステップ（Ｓ７２）に於いてＮＯである場合には、ステップ（Ｓ７４）に進んで第２受信局（例えば６０ＫＨｚの九州局）の強制受信動作を実行し、ステップ（Ｓ７５）に於いて当該第２受信局の強制受信動作を行った結果、前記受診状況判定手段２３に於ける受信信号に信頼が有るか否かを判定し、「信頼性有り」の場合、即ちＹＥＳである場合にはステップ（Ｓ７６）に進み、受信履歴記憶部２４に受信成功局が第２受信局（例えば６０ＫＨｚの九州局）であったことを格納する。そして、その後、ステップ（Ｓ６４４）に進み、ステップ（Ｓ６４４）以降は先ほど説明した通りであるので説明を省略する。
【０１１８】
逆に、ステップ（Ｓ７５）に於いて、ＮＯである場合には、ステップ（Ｓ６９）に進み、当該表示手段４に受信動作が「受信不成功」で有った事を表示してエンドとなる。
【０１１９】
一方、ステップ（Ｓ７０）に於いてＮＯである場合にはそのままエンドとなる。
【０１２０】
以上説明した如く、当該定時受信動作に於ける当該第１の受信方式と当該強制受信動作に於ける当該第２の受信方式は、相互に異なる様に設定されているので、定時受信動作と強制受信動作とを積極的に併用採用して短時間に効率良く必要な時刻情報を含む標準電波検出し、然も電力の消耗を抑制でき、最低限の受信動作の実行にて効率的に標準電波からの時刻情報あるいはカレンダ情報等の情報を的確に受信して高精度の電波修正時計を実現できた。
【０１２１】
更に、本発明に於いては、当該第1の受信方式である定時受信動作では、複数の異なる定時受信動作モードが設けられている事も望ましい。
【０１２２】
従って、本発明に於いては、当該定時受信フラッグ３０に関連する定時受信動作モード記憶手段２６には、予め定められた複数種類の定時受信動作モードを記憶しておく事が好ましい。
【０１２３】
例えば、図６に例示する様に、第１の定時受信動作モードは、第１の受信局に付いて、毎日午前２時に１回当該受信動作を実行するものとし、第２の定時受信動作モードは、第１の受信局に付いて、毎日午前４時に１回当該受信動作を実行する様にしたものである。
【０１２４】
また、図示していないが、第１の定時受信動作モードは、第１の受信局に付いて、毎日午前２時に１回当該受信動作を実行するものとし、第２の定時受信動作モードは、第１の受信局に付いて、５日に１回、午前２時に当該受信動作を実行するものとし、叉第３の定時受信動作モードは、第１の受信局に付いて、２０日に１回、午前２時に当該受信動作を実行するものとする様に設定する事も出来る。
【０１２５】
叉、複数の当該受信時間を変更する様に構成した定時受信動作モードを使用することも可能である。
【０１２６】
即ち、図７に示す様に、第１の定時受信動作モードに於いては、例えば夜中の午前２時及び３時に第１の受信局を受信するように設定されており、一方、第２の定時受信動作モードに於いては、例えば明け方の午前４時及び午前５時に第２の受信局を受信するように設定されているものである。
【０１２７】
更に、本発明に於いては、当該第１の定時受信動作モードと当該第２の定時受信動作モードは、当該定時受信動作実行時刻の少なくとも一部が相互に異ならせる事も可能である。
【０１２８】
即ち、図８に例示する様に、第１の定時受信動作モードに於いては、例えば夜中の午前２時及び午前３時に第１の受信局を受信するように設定されており、一方、第２の定時受信動作モードに於いては、例えば午前３時及び午前４時に第２の受信局を受信するように設定されているものである。
【０１２９】
本発明に於いては、好ましい具体例の一つとして、当該定時受信動作に於いて、第１の定時受信動作モードで当該標準電波を受信出来ない場合のみ第２の定時受信動作モードで当該定時受信動作が実行される様に構成するものである。
【０１３０】
次に、上記の具体例の操作を図９のフローチャートに示す。
【０１３１】
スタート後、ステップ（Ｓ９０）で第１の定時受信動作モードで所定の受信局からの標準電波を受信する動作を実行し、ステップ（Ｓ９１）に於いて、第１の定時受信動作モードにて、前記受診状況判定手段２３に於ける受信信号に信頼が有るか否かを判定し、「信頼性有り」の場合、即ちＹＥＳである場合には、ステップ（Ｓ９４）に進み、前記２セットの受信データを受信データ記憶部６に格納する。そして、ステップ（Ｓ９５）に進み、受信データの信頼性を確認すること目的に、「受信データを２セット取り込み、２つの時刻カレンダデータが１分差であるかを判定」をステップ（Ｓ９５）で行い、「１分差である」の場合、即ちＹＥＳである場合にはステップ（Ｓ９６）に進んで、前記計時データ記憶部５のデータを当該受信データ記憶部６の当該データに置き換えて時刻（カレンダ）修正を行い現在の正確な時刻（カレンダ）情報を前記表示手段４に表示する（Ｓ５）にて、「１分差でない」の場合、即ちＮＯである場合にはステップ（Ｓ９０８）に進み、表示手段４に受信データに「矛盾有り」の表示を行う。
【０１３２】
ステップ（Ｓ９５）にてＹＥＳ、ＮＯの何れの場合でも、ステップ（Ｓ９８８）に進み、受信履歴記憶部２４へ受信履歴の記憶を行い、エンドとなる。
【０１３３】
一方、ステップ（Ｓ９１）でＮＯである場合には、ステップ（Ｓ９７）に進み、第２の定時受信動作モードで所定の受信局からの標準電波を受信する動作を実行し、ステップ（Ｓ９８）に於いて、第２の定時受信動作モードにて前記受診状況判定手段２３に於ける受信信号に信頼が有るか否かを判定し、「信頼性有り」の場合、即ちＹＥＳである場合には、ステップ（Ｓ９４）に進み、ステップ（Ｓ９４）以降は先ほど説明した通りであるので説明を省略する。
【０１３４】
一方、ステップ（Ｓ９８）でＮＯである場合にはエンドとなる。
【０１３５】
以上、図９の説明を行った。
【０１３６】
しかし、図９の如く第１の定時受信動作モードで当該標準電波を受信出来ない場合のみ第２の定時受信動作モードで当該定時受信動作が実行される方法だけではなく、第１の定時受信動作モードと第２の定時受信動作モードとを常に実行しても良い。
【０１３７】
一方、定時受信フラッグに関連する定時受信時の受信局記憶部２７には、予め定められた１つ又は複数種類の受信局を記憶しておく事が好ましい。
【０１３８】
本発明に於ける当該定時受信動作に於いて、受信可能な受信局を複数個予め設定する事によって、当該定時受信動作に於ける受信動作モードの組み合わせの数が広がるので受信成功度の向上に貢献する事が出来る。
【０１３９】
上記した本発明に於ける定時受信動作の具体例に於いて、当該受信状況判定手段２３は、例えば、当該第１の定時受信動作モードを所定の期間、例えば７日間連続して継続したにもかかわらず、所定の時刻情報を含む標準電波を受信できなかった場合には、制御プログラム記憶手段１６の制御プログラムに基づき演算制御手段１０によりモード変更の指示によって、当該第１の定時受信動作モードを当該第２の定時受信動作モードに変更し、上記の定時受信動作と繰り返す。
【０１４０】
この場合、当該定時受信動作を繰り返す期間は、必ずしも第１定時受信動作モードに於ける繰り返し期間と同一でなくとも良い。
【０１４１】
叉、本発明に於いて、所定の定時受信動作モードの実行中及び当該定時受信動作モードが終了後に、当該時刻情報を含む標準電波の受信が不成功に終わっている状況を好ましくはその試行回数、試行時間と共に当該表示手段４に表示する様に構成する事も可能である。
【０１４２】
更に、本発明に於いては、当該第２の定時受信動作モードに於いて所定の時刻情報を含む標準電波を受信できなかった場合には、制御プログラム記憶手段１６の制御プログラムに基づき演算制御手段１０によりモード変更の指示によって、当該第２の定時受信動作モードを当該第３の定時受信モーに変更し、上記の定時受信動作と繰り返す様に構成するとも可能である。
【０１４３】
つまり、本発明に於いては、例えば、複数種の標準電波の受信が可能である様に構成されている事が特徴であって、当該複数種の標準電波は、それを発信する送信局（受信する電波修正時計側では受信局）が異なるものであってもよく、場合によっては、当該複数種の標準電波は、周波数が異なるもので有っても良い。
【０１４４】
更に、本発明に於いては、当該定時受信動作において、第１の定時受信動作モードと第２の定時受信動作モードとが設けられており且つそれぞれの定時受信動作モードに於ける受信する標準電波が相互に異なっている事も望ましい。
【０１４５】
つまり当該定時受信動作に於いて、第ｎの定時受信動作モードで当該標準電波を受信出来ない場合のみ第（ｎ＋１）の定時受信動作モードに変更して異なる標準電波の受信局にて当該定時受信動作が実行される様に構成されている事が好ましい。
【０１４６】
又、本発明に於いては、当該第１の定時受信動作モードでは第１の受信局からの電波を受信し、当該第２の定時受信動作モードでは第２の受信局からの電波を受信する様に構成されているように構成することも可能である。
【０１４７】
更には、本発明に於いては、当該第１の定時受信動作モードでは第１の周波数を有する電波を受信し、当該第２の定時受信動作モードでは第２の周波数を有する電波を受信する様に構成されている事も望ましい。
【０１４８】
更に、本発明に於いては、例えば、当該第１の定時受信動作モードと当該第２の定時受信動作モードは、当該定時受信動作実行時刻は、上記した様に同一であっても良く或いは異なる時刻に設定するものであっても良い。
【０１４９】
叉、場合によっては、当該双方の定時受信動作実行時刻は少なくとも一部が相互に異なっているが或いは一部が重複しているものであっても良い。
【０１５０】
つまり、例えば、当該第１の定時受信動作モードに於いては、毎回午前２時を受信時刻に設定している場合、当該第２の定時受信動作モードに於いては、毎回午前４時を受信時刻に設定することも可能であり、当該受信電波の発信される地域環境或いは当該電波の受信環境に応じて適宜決定する事が出来る。
【０１５１】
叉、場合によっては、図８で説明した様に、当該第１の定時受信動作モードに於いては、毎回午前２時と午前４時を受信時刻に設定している場合、当該第２の定時受信動作モードに於いては、毎回午前３時と午前５時を受信時刻に設定することも可能である。
【０１５２】
一方、上記した様に、本発明に於ける当該第１の受信方式である定時受信動作に於いては、当該時刻情報を含む標準電波を受信する受信局は必ずしも一つに特定されるものではなく、複数種の標準電波を個別に受信が可能である様に構成されている事も望ましい。
【０１５３】
従って、例えば、当該定時受信フラグ領域３０に於ける定時受信局記憶部２７に予め複数の受信局の情報を記憶しておき、当該定時受信動作における第１の定時受信動作モードに於いて当該定時受信局記憶部２７に記憶されている第１の受信局の情報を選択して、その選択された受信局の情報は、当該受信局選択手段１２を介して当該受信回路２に送信されて所定の送信局が発信する当該時刻情報を含む標準電波を受信する動作が実行される。
【０１５４】
そして、上記した複数の当該定時受信動作モードの全てが終了しても未だ、当該時刻情報を含む標準電波が受信出来ない場合にのみ、当該受信局記憶部２７に記憶されている他の受信局の情報が選択され、当該選択された新たな第２の受信局に対して、上記複数の定時受信動作モードの全て繰り返して実行される。
【０１５５】
更に、本発明に於ける他の具体的としては、当該複数種の定時受信動作モードが実行されている間に、当該受信局を変更することも可能である。
【０１５６】
例えば、当該定時受信動作における当該第１の定時受信動作モードに於いては、第１の受信局から発信される時刻情報を含む標準電波を受信する様に設定し、当該当該第２の定時受信動作モードに於いては、第２の受信局から発信される時刻情報を含む標準電波を受信する様に設定して実行することも可能である。
【０１５７】
例えば、日本国内では、現在既に一般的に時刻修正に使用される当該基準時刻情報を含んだ標準電波としては、日本では、２ヶ所あり、福島県で発信されている４０ｋＨｚの標準電波（以後、ＪＪＹ４０と言う）と九州で発信されている６０ｋＨｚの標準電波（以後、ＪＪＹ６０と言う）の２種類がある。
【０１５８】
又、アメリカでは、コロラド州から発信されている標準電波が使用される。
【０１５９】
又、ドイツでは、フランクフルトから発信されているＤＣＦ７７と言う標準電波が使用され、又英国では、ラグビーから発信されているＭＳＦと言う標準電波が使用される。
【０１６０】
従って、上記受信局記憶手段２５には、例えば上記した様な複数種の受信局を記憶しておき、適宜の受信局を選択して使用する事が出来る。
【０１６１】
本発明に於ける当該定時受信局記憶部２７に記憶される当該複数種の標準電波は、それを発信する受信局が異なる様に記憶させる事も可能であり、或いは、周波数が異なる様に記憶させる事も可能である。
【０１６２】
即ち、本発明に於ける好ましい具体例の一つとしては、定時受信動作において、第１の定時受信動作モードと第２の定時受信動作モードとが設けられており且つそれぞれの定時受信動作モードに於ける受信電波が相互に異なっているものである。
【０１６３】
本発明に於ける当該電波修正時計に於ける時刻修正動作に於いて、上記した定時受信動作を所定の回数、所定の時間繰り返した後でも、依然として所定の標準電波が受信できない場合には、当該情報を上記した様に当該表示手段４に表示して当該電波修正時計の利用者にその状況を報知すると共に、受信手段駆動手段９の駆動を停止して受信動作を中断し、それと同時に制御プログラム記憶手段１６の当該制御プログラムにて当該定時受信動作では「受信不成功」であったことを利用者に知らせる。そして、この様な状況では当該利用者は強制受信動作に頼るしかないので、当該利用者による強制受信動作の入力が当該外部入力手段７を介して入力されるまでスタンバイする。
【０１６４】
当該利用者による外部入力があり、当該受信方式が制御プログラム記憶手段１６の所定のプログラムによる演算制御手段１０での演算処理により第２の受信方式である強制受信操作を実行した場合には、当該強制受信動作フラグ領域３１に関連する強制受信動作モード識別記憶部３２に記憶されている１つ或いは複数種の強制受信動作モードの中から適宜の強制受信動作モードが選択される事になる。
【０１６５】
即ち、本発明に於いては、当該強制受信動作に於いては、複数の相互に異なる強制受信動作モードが設定されている事が望ましい。
【０１６６】
そして、本発明に於ける当該強制受信動作に於いても、上記した定時受信動作に於けると同様に、受信局、受信周波数、受信試行回数等を相互に異にする強制受信動作モードが使用されるものである。
【０１６７】
即ち、当該強制受信動作に於いては、複数種の受信局の中から何れか一つの受信局が選択される様に構成されるものであり、当該複数種の受信局から１つの局を選択する操作に際しては、互いに異なる操作手段の操作、あるいは同一の操作手段における互いに異なる操作により受信局が選択される様に構成される事が望ましい。
【０１６８】
本発明に於ける当該強制受信動作モードを実行する場合には、例えば、当該電波修正時計のユーザーが当該時計の一部に設けられた適宜の竜頭或は押し下げ又は引き出しボタン等を押圧、引き出し、或は回転等のさまざまな操作を行う事によって強制受信動作モードを実行することができる。また、本発明に於ける当該強制受信動作において、当該受信局として複数の受信局を当該受信局記憶手段３２内に予め定め設定しておき、当該利用者が任意に当該外部入力手段７を操作して、所望の受信局を選択する様に構成する事も可能である。
【０１６９】
例えば、図１０の具体例では、２種類のボタンを使用して、第１のボタンを押し圧操作する事によって第１受信局を２回受信する様に設定される第１強制受信動作モードとなり、又、第２のボタンを押し圧操作する事によって第２受信局を３回受信する様に設定される第２強制受信動作モードとする事が出来る。
【０１７０】
又、図１１の具体例では、第１のボタンを押し圧操作する事によって単に第１受信局を受信する様に設定される第１強制受信動作モードとなり、又、第２のボタンを押し圧操作する事によって単に第２受信局を受信する様に設定される第２強制受信動作モードとする事も出来る。
【０１７１】
更には、図１２に示す様に、第１のボタンを単発押し圧操作する事によって単に第１受信局を受信する様に設定される第１強制受信動作モードとなり、又、第１のボタンを長時間押し圧操作する事によって第１の受信局と第２受信局とを順番に受信する様に設定される第２強制受信動作モードとする事も出来る。
【０１７２】
更に、本発明に於いては、当該強制受信動作によって選択された受信局を前記定時受信動作に於いて最初に受信する受信局とする事も好ましい具体例である。
【０１７３】
本発明に於ける当該強制受信動作は、基本的には利用者のマニュアル操作が一回実行されるのであり、一回の強制受信動作で所定の受信局からの時刻情報を含む標準電波の受信に成功した場合には、当該強制受信動作は終了し、制御プログラム記憶手段１６の所定の制御プログラムによる演算制御手段１０の制御に基づき、当該強制受信動作に於いて受信に成功した受信局を使用した受信動作を前記した当該定時受信動作に於ける第１の定時受信動作モードと決定し、当該定時受信動作モード記憶手段２６の第１の定時受信動作モードとして既に記憶されている情報を上記した新しい情報で更新する様にすることも可能である。
【０１７４】
即ち、上記説明の如く、当該強制受信動作に於いては、各強制受信動作モードとも当該定時受信動作モード等における受信局の選定を設定したものであり、叉当該受信局もユーザーが居場所を移動しない限り１箇所に固定されるのが一般的である。
【０１７５】
また、本発明に於ける当該強制受信動作に於いては、当該定時受信動作に於いて使用される定時受信動作モード識別記憶部２６と定時受信局記憶部２７とに対応する強制受信動作モード識別記憶部３２と強制受信局記憶部３３が当該強制受信動作フラグ領域３１内に設けられているものである。
【０１７６】
また、上記した様に、本発明に於いては複数の定時受信動作モードを有する場合、当該第１の定時受信動作モードでは第１の受信局からの電波を受信し、当該第２の定時受信動作モードでは第２の受信局からの電波を受信する様に構成する事も可能であり、当該強制受信動作に於いても複数の強制受信動作モードを有する場合、当該第１の強制受信動作モードでは第１の受信局からの電波を受信し、当該第２の強制受信動作モードでは第２の受信局からの電波を受信する様に構成する事も可能である。
【０１７７】
その場合、当該第１の定時受信動作モード或いは当該第１の強制受信動作モードでは第１の周波数を有する電波を受信し、当該第２の定時受信動作モード或いは当該第２の強制受信動作モードではでは第２の周波数を有する電波を受信する様に構成されている事も可能である。
【０１７８】
更に、本発明に於ける当該強制受信動作に於いては、複数種の受信局の中から何れか一つの受信局が選択される様に構成されるものであって、図１０乃至図１２で説明した様な、当該複数種の受信局から１つの局を選択する操作に際しては、互いに異なる操作手段が設けられていても良く、あるいは一つの操作手段、例えば、押圧スイッチに於いて、一回の押圧では、一つの受信局が選択され、連続押圧ではその他の受信局が選択されるという様に構成することが可能である。
【０１７９】
そして、上記した様に、当該強制受信動作によって選択された受信局を当該強制受信動作に於いても叉当該定時受信動作に於いても第１の受信局とする事が望ましい。
【０１８０】
また、本発明に於いて、強制受信操作を行うとき、当該複数種の受信局から１つの局を選択する方法として受信履歴記憶部２４の情報に基づき受信成功率が高いと判断される受信局にて最初に受信動作を行い更に２番目に受信成功率が高い受信局にて次の受信動作を行い、以下、３番目以降同様に制御することもできる。あるいは、強制受信操作を行うとき、当該複数種の受信局から１つの局を選択する方法として受信履歴記憶部２４の情報に基づき受信成功率が高いと判断される受信局のみ受信動作を行うようにしても良い。更には、当該複数種の受信局から１つの局を選択する強制受信操作に際して、受信履歴記憶部２４の情報に基づき受信成功率が高いと判断される受信局にて最初に次の定時受信動作を行い更に２番目に受信成功率が高い受信局にて次の定時受信動作を行い、以下、３番目以降同様に制御することもできる。この制御は、前述の図５の具体例が、受信履歴記憶部２４の情報に基づき受信成功率が高いと判断される受信局のみ定時受信動作を行っている具体例の変形である。
【０１８１】
係る受信局の選定操作としては、以上説明した各受信局に対する過去の受信履歴記憶手段２４に記憶されている過去の履歴を参照して当該優先順位を決定する他に、例えば、電界強度を比較して、当該電界強度の高い受信局から優先順位を設定するか、或いは各受信局に対する過去の受信履歴記憶手段２４に記憶されている過去の履歴を参照して当該優先順位を決定するか、若しくは当該利用者の現在位置と受信局との物理的距離の長短により決定する等の方法が可能である。
【０１８２】
その為には、例えば、当該受信履歴記憶部２４に於いて、それぞれの受信局について、過去の受信操作中で受信された頻度に関してデータを作成するか、或はそれぞれの受信局について、第１回目の操作で受信が成功した数に関してデータを作成して当該受信履歴記憶部２４に記憶しておく事が出来る。
【０１８３】
叉、上記した様に、当該複数種の周波数を持つ標準電波から１つの周波数の電波を選択する操作に際しては、受信成功率が高いと判断される周波数の電波をそれ以降の受信動作に於ける第１の周波数と決定するように構成されている事も望ましい具体例である。
【０１８４】
即ち、本発明に於けるかかる具体例としては、当該複数種の受信局から複数種の標準電波を受信した所定期間の受信履歴情報に基づき、該受信履歴情報の中で最も受信成功率が高いと判断される受信局をそれ以降の定時受信動作に於いて最初に受信する受信局とするように構成されていても良く、又当該複数種の周波数を持つ標準電波を受信した所定期間の受信履歴情報に基づき、該受信履歴情報の中で最も受信成功率が高いと判断される標準電波の周波数をそれ以降の定時受信動作に於いて最初に受信する周波数とするように構成されている事も望ましい具体例である。
【０１８５】
更に、本発明に於ける別の具体的としては、当該定時受信動作において、第１の定時受信動作モードと第２の定時受信動作モードとを常時実行する様に構成しても良く、又、第１の定時受信動作モードは常時実行する様に構成しておき当該第２の定時受信動作モードとを適宜のタイミングで重複的に実行する様に構成するもので有っても良い。
【０１８６】
又、本発明に於いては、当該定時受信動作において、第１の定時受信動作モード若しくは第２の定時受信動作モードの何れか一方のみを繰り返す様に構成するもので有っても良い。
【０１８７】
又、上記具体例に於いて、当該定時受信動作は複数種の標準電波のうちの所定の１つの標準電波は、複数種の標準電波を受信した所定期間の受信履歴情報に基づき、前記受信履歴記憶部２４の定時受信の受信履歴情報もしくは強制受信の受信履歴情報もしくは定時受信と強制受信とを合わせた受信履歴情報の中で最も受信成功率が高いと判断される標準電波である様に構成されているものであっても良い。
【０１８８】
又、更に、本発明に於ける更に別の具体例に於いては、例えば、当該複数種の標準電波の受信が可能な電波修正時計は、強制受信動作は複数種の標準電波の受信を行い、定時受信動作は複数種の標準電波のうち、所定の１つの標準電波を受信する様に構成されているものであっても良く、或は、当該定時受信動作の複数種の標準電波のうちの所定の１つの標準電波は、強制受信動作で複数種の受信を行った標準電波のうち前回受信に成功した標準電波である様に構成されているものであっても良く、この具体例を図１３に示す。
【０１８９】
次に、図１３について説明する。スタート後、ステップ（Ｓ１００）で定時受信動作であるか否かが判断され、ＹＥＳである場合ステップ（Ｓ１０１）に進み、受信履歴記憶部２４の受信履歴情報に基づき前回の受信成功の受信局を選定し、その選定結果に基づきステップ（Ｓ１０２）あるいはステップ（Ｓ１０３）に進み、第１受信局あるいは第２受信局の定時受信動作を実行する。そして、ステップ（Ｓ１０４）に於いて、前記受診状況判定手段２３に於ける受信信号に信頼が有るか否かを判定し、「信頼性有り」の場合、即ちＹＥＳである場合には、ステップ（Ｓ１４４）に進み、前記２セットの受信データを受信データ記憶部６に格納する。そして、ステップ（Ｓ１０５）に進み、受信データの信頼性を確認すること目的に、「受信データを２セット取り込み、２つの時刻カレンダデータが１分差であるかを判定」をステップ（Ｓ１０５）で行い、「信頼性有り」の場合、即ちＹＥＳである場合にはステップ（Ｓ１０６）に進んで、前記計時データ記憶部５のデータを当該受信データ記憶部６の当該データに置き換えて時刻（カレンダ）修正を行い現在の正確な時刻（カレンダ）情報を前記表示手段４に表示する。そして、更にステップ（Ｓ１０７）に進み、表示手段４に「受信成功」の表示を行う。逆に、ステップ（Ｓ６５）にて、「信頼性なし」の場合、即ちＮＯである場合にはステップ（Ｓ１０８）に進み、表示手段４に受信データに「矛盾有り」の表示を行う。
【０１９０】
ステップ（Ｓ１０５）にてＹＥＳ、ＮＯの何れの場合でも、最終的にはステップ（Ｓ１８８）に進み、受信履歴記憶部２４へ受信履歴の記憶を行い、エンドとなる。
【０１９１】
一方、ステップ（Ｓ１０４）で前記受診状況判定手段２３に於ける受信信号に信頼が有るか否かを判定し、「信頼性なし」の場合、即ちＮＯである場合には、ステップ（Ｓ１０９）に進み、当該表示手段４に受信動作が「受信不成功」で有った事を表示してエンドとなる。
【０１９２】
又、ステップ（Ｓ１００）でその判断がＮＯである場合には、ステップ（Ｓ１１０）に進み、強制受信動作であるか否かが判断され、ＹＥＳである場合には、ステップ（Ｓ１１１）に進んで第１受信局（例えば４０ＫＨｚの福島局）の強制受信動作を実行し、ステップ（Ｓ１１２）に於いて当該強制受信動作を行った結果、前記受診状況判定手段２３に於ける受信信号に信頼が有るか否かを判定し、「信頼性有り」の場合、即ちＹＥＳである場合にはステップ（Ｓ１１３）に進み、受信履歴記憶部２４に受信成功局が第１受信局（例えば４０ＫＨｚの福島局）であったことを格納する。そして、その後、ステップ（Ｓ１４４）に進み、ステップ（Ｓ１４４）以降は先ほど説明した通りであるので説明を省略する。
【０１９３】
逆に、ステップ（Ｓ１１２）に於いてＮＯである場合には、ステップ（Ｓ１１４）に進んで第２受信局（例えば６０ＫＨｚの九州局）の強制受信動作を実行し、ステップ（Ｓ１１５）に於いて当該第２受信局の強制受信動作を行った結果、前記受診状況判定手段２３に於ける受信信号に信頼が有るか否かを判定し、「信頼性有り」の場合、即ちＹＥＳである場合にはステップ（Ｓ１１６）に進み、受信履歴記憶部２４に受信成功局が第２受信局（例えば６０ＫＨｚの九州局）であったことを格納する。そして、その後、ステップ（Ｓ１４４）に進み、ステップ（Ｓ１４４）以降は先ほど説明した通りであるので説明を省略する。
【０１９４】
逆に、ステップ（Ｓ１１５）に於いて、ＮＯである場合には、ステップ（Ｓ１０９）に進み、当該表示手段４に受信動作が「受信不成功」で有った事を表示してエンドとなる。
【０１９５】
一方、ステップ（Ｓ１１０）に於いてＮＯである場合にはそのままエンドとなる。
【０１９６】
以上説明した如く、当該定時受信動作に於ける当該第１の受信方式と当該強制受信動作に於ける当該第２の受信方式は、相互に異なる様に設定されているので、定時受信動作と強制受信動作とを積極的に併用採用して短時間に効率良く必要な時刻情報を含む標準電波検出し、然も電力の消耗を抑制でき、最低限の受信動作の実行にて効率的に標準電波からの時刻情報あるいはカレンダ情報等の情報を的確に受信して高精度の電波修正時計を実現できた。
【０１９７】
本発明に於ける更に別の態様としては、標準時刻情報信号を含む標準電波を受信して、標準時刻情報信号に基づいて時刻修正を行う様に構成された電波修正時計の時刻修正方法であって、第１の受信方式に基づく定時受信動作を行う第１の受信方式工程と、第２の受信方式に基づく強制受信動作を行う第２の受信方式工程とを有し、第１の受信方式工程と第２の受信方式工程とを単独に若しくは逐次的に実行するに際し、当該第１の受信方式工程と当該第２の受信方式工程は相互に異なる様に設定されている電波修正時計の時刻修正方法であり、当該電波修正時計の時刻修正方法は、複数種の標準電波を受信する様に構成されている事が好ましく、更には、当該第２の受信方式工程の強制受信動作に於いては、複数種の受信局の中から何れか一つの受信局が選択される様に構成される事も望ましい具体例である。
【０１９８】
つまり、本発明に於ける当該態様に於ける電波修正時計の時刻修正方法のより具体的な構成としては、標準時刻情報信号を含む標準電波を受信して、標準時刻情報信号に基づいて時刻修正を行う様に構成された電波修正時計であって、当該電波修正時計は、少なくとも当該受信手段、時刻情報あるいはカレンダ情報を計時する計時手段、表示手段、当該計時手段の駆動状態を制御する制御手段である演算制御手段１０、外部入力手段７及び制御情報記憶手段８とを有しており、且つ第１の受信方式に基づき前記計時手段である計時データ記憶部５の所定の計時情報値となったときに動作する定時受信動作と第２の受信方式に基づき前記外部入力手段７の操作により動作する強制受信動作とを単独に若しくは逐次的に実行するに際し、当該定時受信動作に於ける当該第１の受信方式と当該強制受信動作に於ける当該第２の受信方式は、相互に異なる様に設定されている電波修正時計の時刻修正方法である。
【０１９９】
本態様に於ける１具体例としては、当該第１の受信方式と当該第２の受信方式が相互に異なる様に設定されている状態は、当該標準電波の受信成功度合が相互に異なる様に構成する時刻修正方法であり、又当該標準電波の受信成功度合が相互に異なっている状態は、当該標準電波を受信する為の受信動作の試行回数を相互に異ならせる様に構成する時刻修正方法である。
【０２００】
本発明に於ける当該時刻修正方法に於いては、当該定時受信動作に於いて、第１の定時受信動作モードで当該標準電波を受信出来ない場合のみ第２の定時受信動作モードに切り替えと当該定時受信動作を実行する様に構成されている事も望ましい具体例である。
【０２０１】
又、本発明に於ける当該時刻修正方法に於いては、当該電波修正時計が複数種の標準電波を受信する様に構成されている事も望ましく且つ当該複数種の標準電波は、それを発信する受信局が異なるか、周波数が異なる事が好ましい。
【０２０２】
更に、本具体例に於いても、当該強制受信動作に於いては、複数の相互に異なる強制受信動作モードを設定する事も可能である。
【０２０３】
又、本具体例に於いては、電波修正時計の時刻修正方法として、当該定時受信動作において、第１の定時受信動作モードと第２の定時受信動作モードとが設けられており且つそれぞれの定時受信動作モードに於ける受信電波が相互に異なっている様に構成する事も可能であり、更には、定時受信動作において、第１の定時受信動作モードと第２の定時受信動作モードとが設けられており且つ当該第１の定時受信動作モードに於いて所定の標準電波が受信出来なかった場合のみ当該第２の定時受信動作モードで受信動作を実行する様に構成されている事も好ましい。
【０２０４】
又、本具体例に於ける当該電波修正時計の時刻修正方法に於いては、当該第１の定時受信動作モードでは第１の受信局からの電波を受信し、当該第２の定時受信動作モードでは第２の受信局からの電波を受信する様に構成されている事も望ましく、或いは当該第１の定時受信動作モードでは第１の周波数を有する電波を受信し、当該第２の定時受信動作モードでは第２の周波数を有する電波を受信する様に構成されている事も好ましい。
【０２０５】
一方、本発明に於ける上記具体例の電波修正時計に於ける時刻修正方法では、当該複数種の受信局から１つの局を選択する動作に際しては、受信成功率が高いと判断される受信局をそれ以降の受信動作に於ける第１の受信局と決定するように構成されている事が望ましく、当該複数種の周波数を持つ標準電波から１つの周波数の電波を選択する動作に際しては、受信成功率が高いと判断される周波数の電波をそれ以降の受信動作に於ける第１の周波数と決定するように構成されている事も好ましい。
【０２０６】
更に、本発明に於ける電波修正時計に於ける時刻修正方法では、当該定時受信動作において、第１の定時受信動作モードと第２の定時受信動作モードとを常時実行する様に構成されているものであってもよく又、当該定時受信動作において、第１の定時受信動作モード若しくは第２の定時受信動作モードの何れか一方のみを繰り返す様に構成されているもので有っても良い。
【産業上の利用可能性】
【０２０７】
本発明は、上述した様な構成を採用しているので、時刻情報を含む標準電波を受信して当該時刻情報に基づいて電子時計の現在の時刻情報を容易に且つ正確な時刻情報に修正することが可能である。
【図面の簡単な説明】
【０２０８】
【図１】図１は、本発明に係る電波修正時計の構成の１具体例を示すブロックダイアグラムである。
【図２】図２は、本発明に係る電波修正時計の１具体例における操作手順の一例を示すフローチャートである。
【図３】図３は、本発明に係る電波修正時計の他の具体例における操作手順の一例を示すフローチャートである。
【図４】図４は、本発明に係る電波修正時計の別の具体例における操作手順の一例を示すフローチャートである。
【図５】図５は、本発明に係る電波修正時計の更に他の具体例における操作手順の一例を示すフローチャートである。
【図６】図６は、本発明に係る電波修正時計の１具体例における定時受信動作モードの一例を示す図である。
【図７】図７は、本発明に係る電波修正時計の１具体例における定時受信動作モードの他の例を示す図である。
【図８】図８は、本発明に係る電波修正時計の１具体例における定時受信動作モードの別の例を示す図である。
【図９】図９は、本発明に係る電波修正時計の定時受信動作モードの１具体例における操作手順の一例を示すフローチャートである。
【図１０】図１０は、本発明に係る電波修正時計の１具体例における強制受信動作モードの設定操作の一例を示す図である。
【図１１】図１１は、本発明に係る電波修正時計の１具体例における強制受信動作モードの設定操作の他の例を示す図である。
【図１２】図１２は、本発明に係る電波修正時計の１具体例における強制受信動作モードの設定操作の別の例を示す図である。
【図１３】図１３は、本発明に係る電波修正時計の更に他の具体例における操作手順の一例を示すフローチャートである。
【符号の説明】
【０２０９】
１    電波修正時計
２    受信手段
４    表示手段
５    計時データ記憶部
６    受信データ記憶部
７    外部入力手段
８    制御情報記憶手段
９    受信手段駆動手段
１０  演算制御手段
１１  コード判定手段
１２  受信局選択手段
１６  制御プログラム記憶手段
１７  基準信号発生手段
１８  カウンタ手段
２１  受信回路
２２  受信局切り替え回路
２３  受診状況判定手段
２４  受信履歴記憶部
２６  定時受信動作モード識別記憶部
２７  定時受信局記憶部
３０  定時受信フラグ領域
３１  強制受信フラグ領域
３２  強制受信動作モード識別記憶部
３３  強制受信局記憶部
４０  表示駆動手段
【図１】
2005227203.tif 000003
【図２】
2005227203.tif 000004
【図３】
2005227203.tif 000005
【図４】
2005227203.tif 000006
【図５】
2005227203.tif 000007
【図６】
2005227203.tif 000008
【図７】
2005227203.tif 000009
【図８】
2005227203.tif 000010
【図９】
2005227203.tif 000011
【図１０】
2005227203.tif 000012
【図１１】
2005227203.tif 000013
【図１２】
2005227203.tif 000014
【図１３】
2005227203.tif 000015